(57)【特許請求の範囲】
【請求項１】
車体の後部に設けた操作ハンドル部を運転操作しながら、車体の走行運転と洗浄用ブラシ又はパッドの回転を行って床面を洗浄し、且つ、洗浄後の汚水をスキージで吸引するように構成した自走歩行式床面洗浄機であって、
上記操作ハンドル部に設けたハンドル軸に、ハンドル軸の正逆方向への回転操作に従って、自走用モータの回転方向を前進方向と後退方向とに切換えることができる走行方向転換手段と、上記のハンドル軸に回動自在に装着されたスキージリフトレバー、及び、ハンドル軸に一体的に設けられていて、ハンドル軸を後退方向に逆回転操作した時に上記のスキージリフトレバーに係合して、スキージリフトレバーをスキージを床面から上昇させる方向に一体回動することができる係合レバーとによって構成したスキ−ジ上昇手段とを連携して設けると共に、上記のスキージリフトレバーに押圧子を連設し、この押圧子の回動通路上には、スキージリフトレバーがスキージを床面上に降下した状態に回動された時に、上記の押圧子に押されてスイッチＯＮして、上記のスキージに吸引作用を及ぼすブロアー用モータを駆動回転することができ、且つ、上記のスキージリフトレバーがスキージを上昇する位置に回動した時には、上記押圧子によるＯＮ状態が解除されて、上記モータによるブロアーの吸引運転を停止することができるモ−タ用スイッチを設けたことを特徴とする自走歩行式床面洗浄機。
【請求項２】
ハンドル軸に回動自在に装着したスキージリフトレバーに、このスキージリフトレバーを回動操作してスキージを床面から上昇させたり、床面上に降下させたりすることができる手動操作レバーを取付けると共に、この手動操作レバーを上記スキージを上昇させた回動位置に一時的に係止することができる係止部を設けたことを特徴とする請求項１に記載の自走歩行式床面洗浄機。
【請求項３】
ハンドル軸に、正逆方向に回動操作したハンドル軸を常時ニュートラル位置に戻すことができる戻しスプリングを取付けると共に、ハンドル軸に金属片を取付け、この金属片の回転通路上には、ハンドル軸を前進方向に正転した場合に、上記の金属片を吸着してハンドル軸を上記戻しスプリングの戻し力に抗して正転させた位置に保持することができる磁石を設けたことを特徴とする請求項１に記載の自走歩行式床面洗浄機。
【発明の詳細な説明】
【０００１】
【発明の属する技術分野】
本発明は、操作ハンドルを操作しながら車体の走行運転と、ブラシ又はパッドによる床面の洗浄を行うように工夫した自走歩行式床面洗浄機に関するものである。
【０００２】
【従来の技術】
従来の自走歩行式床面洗浄機には、例えば特開平２−２９１８３０号公報に示されているように、運転用の操作ハンドルとは別にスキージ用昇降ハンドルや後退運転用のレバーが備えられていて、スキージ用昇降ハンドルを上方に引上げ回動した時は、スキージを床面上より引上げた状態に保持して、床面洗浄機の移動走行に影響を与えないように工夫する一方、車体を後退させた場合には、後退用ハンドルを引上げ回動すれば、スキージの床面からの引上げと、走行用モータの逆転用スイッチのＯＮが同時に行われて、車体の後退がスムーズに行われる仕組に成っている。
【０００３】
【発明が解決しようとする課題】
ところが、上記従来の自走歩行式床面洗浄機は、走行用ハンドルとは別にスキージ用昇降ハンドルと後退用ハンドルが設けられていて、前進及び後退の都度、これ等の各ハンドルを操作すると共に、走行用スイッチをＯＮ／ＯＦＦ操作する必要があるため、操作が非常に面倒であると共に、操作時には必ず一方の手を上記各ハンドルやスイッチを操作するために操作ハンドルから外すことになり、その分運転操作が不安定になって事故の発生原因ともなる虞れがあり、加えて、多数のハンドルとスイッチを設ける設計のため、多くの部品を使用して構造を頗る複雑化し、高コスト化を招く問題があった。
【０００４】
更に、上記各ハンドルの操作はいずれもレバーの上下作動であるため、腕全体を使用する必要があって疲労度が高く、特に女性や中高年の作業員にとっては可成りの重労働で、手軽に運転操作できない問題があった。
【０００５】
従って本発明の技術的課題は、運転操作が頗る簡単で容易に床面を洗浄することができ、且つ、全体の構成が簡単で製造コストを軽減できるように工夫した自走歩行式床面洗浄機を提供することである。
【０００６】
【課題を解決するための手段】
上記の技術的課題を解決するために本発明で講じた手段は以下の如くである。
【０００７】
車体の後部に設けた操作ハンドル部を運転操作しながら、車体の走行運転と洗浄用ブラシ又はパッドの回転を行って床面を洗浄し、且つ、洗浄後の汚水をスキージで吸引するように構成した自走歩行式床面洗浄機であって、
【０００８】
（１）  上記操作ハンドル部に設けたハンドル軸に、ハンドル軸の正逆方向への回転操作に従って、自走用モータの回転方向を前進方向と後退方向とに切換えることができる走行方向転換手段と、上記のハンドル軸に回動自在に装着されたスキージリフトレバー、及び、ハンドル軸に一体的に設けられていて、ハンドル軸を後退方向に逆回転操作した時に上記のスキージリフトレバーに係合して、スキージリフトレバーをスキージを床面から上昇させる方向に一体回動することができる係合レバーとによって構成したスキ−ジ上昇手段とを連携して設けると共に、上記のスキージリフトレバーに押圧子を連設し、この押圧子の回動通路上には、スキージリフトレバーがスキージを床面上に降下した状態に回動された時に、上記の押圧子に押されてスイッチＯＮして、上記のスキージに吸引作用を及ぼすブロアー用モータを駆動回転することができ、且つ、上記のスキージリフトレバーがスキージを上昇する位置に回動した時には、上記押圧子によるＯＮ状態が解除されて、上記モータによるブロアーの吸引運転を停止することができるモ−タ用スイッチを設けること。（請求項１）
【０００９】
（２）  ハンドル軸に回動自在に装着したスキージリフトレバーに、このスキージリフトレバーを回動操作してスキージを床面から上昇させたり、床面上に降下させたりすることができる手動操作レバーを取付けると共に、この手動操作レバーを上記スキージを上昇させた回動位置に一時的に係止することができる係止部を設けること。（請求項２）
【００１０】
（３）  ハンドル軸に、正逆方向に回動操作したハンドル軸を常時ニュートラル位置に戻すことができる戻しスプリングを取付けると共に、ハンドル軸に金属片を取付け、この金属片の回転通路上には、ハンドル軸を前進方向に正転した場合に、上記の金属片を吸着してハンドル軸を上記戻しスプリングの戻し力に抗して正転させた位置に保持することができる磁石を設けること。（請求項３）
【００１１】
上記（１）で述べた請求項１に係る手段によれば、車体後部の操作ハンドル部にハンドル軸を設け、このハンドル軸の正逆方向への回転操作に従って、車体の前進と後退が行えると共に、後退に際しては、ハンドル軸の逆回転操作に連動させて汚水吸引用のスキージを上昇させることができるため、上記従来例のように運転時にいくつものハンドルを操作したりスイッチをＯＮ／ＯＦＦ操作する必要が全く無いから、運転が楽で操作性に優れた自走歩行式床面洗浄機を提供することを可能にする。
【００１２】
また、上記（１）で述べた請求項１に係る手段によれば、ハンドル軸にスキージを上昇させるメカニックを組み付けた関係上、ハンドル軸を後退方向に逆回転操作するだけで、係合レバーがスキージリフトレバーを回動してスキージを上昇させることができるため、操作が頗る簡単であると共に、部品点数を少くして全体をコンパクトに、且つ、低コストに造ることを可能にする。
【００１３】
更に上記（１）で述べた請求項１に係る手段によれば、スキージの上昇と、このスキージに吸引作用を及ぼすブロアー用モータのＯＮ／ＯＦＦ切換え操作を、ハンドル軸の正逆回転操作に従って連動して行うことができるため、運転操作の簡略化と、装置全体のコンパクト化及び低コスト化を可能にする。
【００１４】
上記（２）で述べた請求項２に係る手段によれば、スキージの上昇をハンドル軸の回転操作にだけ頼ることなく、手動操作レバーを直接手動で回動することによって任意に行うことができるため、洗浄機を移動する時にはスキージを上昇させて移動することができ、また、この手動操作レバーを係止部に係止させることにより、スキージの上昇状態を維持することができるため、スキージに邪魔されることなく洗浄機を別の場所にスムーズに移動したり、運搬したりすることを可能にする。
【００１５】
上記（３）で述べた請求項３に係る手段によれば、ハンドル軸から手を離すと、戻しスプリングによってハンドル軸がニュートラル位置、即ち、洗浄機を前後いずれの方向にも移動させない位置に自動的に戻るため、洗浄機の運転を安全に進めることができると共に、ハンドル軸を前進方向に回動操作した場合には、ハンドル軸に設けた金属片が磁石に吸着されてその回動状態を維持するため、作業員はハンドル軸を常に前進方向に捻った状態に保持する必要がなく、洗浄機を安全に、且つ、手軽に運転することを可能にする。
【００１６】
以上の如くであるから、上記（１）〜（３）の手段によって上述した技術的課題を解決して、前記従来の技術の問題点を解消することができる。
【００１７】
【発明の実施の形態】
以下に、本発明に係る自走歩行式床面洗浄機の実施の形態を図面と共に説明すると、図１は本発明の外観を説明した側面図、図２はその平面図であって、これ等の図面に於いて符号１で全体的に示したのは床面洗浄機の車体、２ａと２ｂは走行用の車輪とキヤスター、Ｍ４は車輪２ａを回転して車体１を前進又は後退させる走行用モータ、３は洗浄用モータＭ１によって回転して床面を洗浄するブラシ又はパッドを示す。
【００１８】
また、５Ｓと５Ｔは車体１に搭載した清水又は洗浄液用のタンクと汚水用の回収タンクで、清水又は洗浄液用のタンク５Ｓからは、上記のブラシ又はパッド３に対して洗浄用の清水或は洗浄液が給水され、回収タンク５Ｔには後述するスキージから洗浄後の汚水が送り込まれる仕組に成っている。
【００１９】
４はモータＭ２によって回転する汚水吸引用のブロアーで、このブロアー４の吸引力は、汚水回収タンク５Ｔ及び汚水回収ホース６を通して車体１の後部に回動アーム７ａを介して連結したスキージ７に作用して、床面上の洗浄汚水を回収タンク５Ｔに吸引回収する仕組に成っている。
【００２０】
８は両端部８ａ，８ａを車体１の後部上面に突設した左右のブラケット１ａ，１ａに取付けた操作ハンドルで、９はこの操作ハンドル８に取付けた操作ボックス、１０は両端側を操作ボックス９の両側から突出させた状態で、操作ボックス９に対して回転操作自在に取付けたハンドル軸で、このハンドル軸１０を図１に於いて時計回転方向に捻り回転すると、上述した走行用モータＭ４が車輪２ａを正回転して車体１を図面上右方向に前進させ、反対にハンドル軸１０を図１に於いて反時計回転方向に捻り回転した場合には、走行用モータＭ４が車輪２ａを逆回転して、車体１を図面上左方向に後退させる仕組に成っている。
【００２１】
更に図中、１２は上記操作ボックス９の上面に回動操作自在に突設した手動操作レバーで、このレバー１２を操作ボックス９の上面に設けたガイド溝１３に沿って車体１の前進方向（図面上右方向）に押圧回動すると、後述するスキージリフトレバーがスキージ引上げ紐１４を下方に緩める方向に回動して、スキージ７を自重によって図１に示した床面上に降下した状態、即ち、汚水を床面から吸引する状態に降下し、反対に手動操作レバー１２を図１の仮想線に示した起立状態に回動した場合は、上記のスキージリフトレバーがスキージ引上げ紐１４を引上げ回動して、スキージ７を床面から離す方向に上昇させるように構成されており、更に、スキージ７を引上げる方向に回動した上記手動操作レバー１２は、これを上記ガイド溝１３の後端部にＬ字状に連設した係止溝１３ａに係合することによって、上記スキージ７を引上げた状態に維持できる仕組に成っている。
【００２２】
次に、図３は上記操作ボックス９の内部の構造を拡大して示した平断面図、図４は同じくその背面側から見た断面図であって、これ等の図面に於いて、９ａと９ｂはハンドル軸１０を正逆回転自在に支持するブッシュとカラー、１５はスキージ上昇手段を構成するボスレバー筒、１５ａはこのボスレバー筒１５に連設した係合レバーで、このボスレバー筒１５は上記のハンドル軸１０の略中間部に一体的に取付けられている。
【００２３】
また、１６は上記ボスレバー筒１５の周面に回動自在に嵌装したレバーハンドル筒で、このレバーハンドル筒１６のボス部１６′には、図５に示すように上述したスキージ引上げ紐１４を連結１４ａしたスキージリフトレバー１６ａと、上記ブロアー４用モータＭ２の作動スイッチＬＳＷ２をＯＮ／ＯＦＦする押圧子１６ｂが連設され、更に、このレバーハンドル筒１６の周面両側には、同じく図５に示すように上述した手動操作レバー１２の支持板１２Ｔに設けた左右の保持板１２ａ，１２ａが固定されていて、この手動操作レバー１２の手動操作に従ってレバーハンドル筒１６の全体を自由に前後に回動操作できる仕組に成っている。
【００２４】
上記の図５は、上記スキージリフトレバー１６ａと押圧子１６ｂ、並びに、手動操作レバー１２の動作を明らかにするべく、これ等の部分を図４のＡ−Ａ線に沿った位置で切断した断面図であって、（イ）図はスキージ７を床面から引上げた状態を示し、（ロ）図は手動操作レバー１２を図面上時計回転方向、即ち、正回転方向に捻り回転、或は、回動操作することにより、スキージリフトレバー１６ａを同じく時計方向に回動してスキージ引上げ紐１４を下方に緩めて、スキージ７を床面上に降下する一方、押圧子１６ｂがスイッチＬＳＷ２のスイッチ片Ｌ２を押してスイッチのＯＮさせ、上記ブロアー４のモータＭ２を駆動して、上記のスキージ７に対して吸引作用を及ぼすように構成されている。
【００２５】
更に図５の（ハ）図は、上記（ロ）図に示したスキージ７を下げた状態で、ハンドル軸１０（グリップ）を図面上反時計回転方向に捻り回転して、車体１を後進させた時の状態を示したものであって、この後進状態ではハンドル軸１０と一体に回動するボスレバー筒１５の係合レバー１５ａが、上記の押圧子１６ｂを押してレバーハンドル筒１６の全体を回動するため、スキージリフトレバー１６ａを引上げ回動してスキージ７を床面から上昇させ、且つ、押圧子１６ｂによるスイッチＬＳＷ２のＯＮ状態を解除（ＯＦＦ）して、上記ブロアー４用モータＭ２の回転を止めて汚水の吸引を停止する仕組に成っている。
【００２６】
更に上記の図３と図４に於いて、夫々符号２０で全体的に示したのは、上記ハンドル軸１０の一側に取付けたギヤハンドル筒で、このギヤハンドル筒２０には、図６の（イ）図及び（ロ）図、並びに、図４のＷ視部分を拡大した図７の記載から明らかなように、その一端部周面に上述した洗浄用ブラシ又はパッド３用のモータＭ１、並びに、これ等ブラシ又はパッド３を床面に対して上下動する電動シリンダーＭ３（図１３参照）用の作動スイッチＬＳＷ１をＯＮ／ＯＦＦする押圧突子２０ａを突設し、且つ、その中央部周面には略半円状のギヤ２１を形成すると共に、他側周面の上下には上部と下部の係止突片２２ａ，２２ｂが突出形成されている。
【００２７】
更にこのギヤハンドル筒２０の他側周面には、ハンドル軸１０を常時図８に示したニュートラル状態に維持する戻しスプリング２６が巻装され、また、上述した操作ボックス９内の上下両側には、この戻しスプリング２６の上下両端２６ａ，２６ｂを係止する上下の係止板２７ａ，２７ｂが突設され、更に、操作ボックス９の内側面には、上記上部と下部の各係止突片２２ａ，２２ｂが図９及び図１０に示すように係合して、ハンドル軸１０の正回転（前進）と逆回転（後退）を途中で制止することができるストッパー２８が突設されている。
【００２８】
また、上記操作ボックス９内に設けたフレーム板２３には、ハンドル軸１０の捻り回転方向とその回転量に従って、上記走行用モータＭ４の正逆回転方向とその回転速度をコントロールすることができるスピードコントローラ２４と、上述した作動スイッチＬＳＷ１が取付けられ、且つ、上記のギヤ２１に噛合して連動回転するピニオン２５の取付部２５ａが、上記スピードコントローラ２４の回転部２４ａに連結されている。
【００２９】
図８、図９、図１０は、上記押圧突子２０ａによる作動スイッチＬＳＷ１のＯＮ／ＯＦＦの状態と、ギヤ２１によるスピードコントローラ２４の回転状況、及び、戻しスプリング２６の作用を明示するために、これ等の部分を図４のＢ−Ｂ線に沿った位置で切断して示した拡大断面図であって、図８は戻しスプリング２６によって維持されたニュートラル時の状態を示し、また、図９は戻しスプリング２６の弾性に抗してハンドル軸１０を図面上時計回転方向（前進方向）に捻り回転した時の状態を示し、更に図１０は同じく戻しスプリング２６の弾性に抗してハンドル軸１０を図面上反時計回転方向（後進方向）に捻り回転した時の状態を示すものであって、図８に示したニュートラル時には押圧突子２０ａが作動スイッチＬＳＷ１のスイッチ片Ｌ１を押してスイッチＯＦＦにしている。
【００３０】
また、図９に示した前進時には、ギヤ２１とピニオン２５との噛合によってスピードコントローラ２４を正回転して走行用モータＭ４による車体１の前進を開始する一方、押圧突子２０ａが作動スイッチＬＳＷ１のスイッチ片Ｌ１から外れてスイッチＯＮするため、上述した洗浄用ブラシ又はパッド３用のモータＭ１と電動シリンダーＭ３が作動し、更にこれに同調して上述したようにスキージリフトレバー１６ａによるスキージ７の降下と、ブロアー４用モータＭ２の作動が行われるため、車体１を走行用車輪２ａを正転して前進させながら、洗浄用ブラシ又はパッド３を回転して床面を洗浄し、洗浄後の汚水をスキージ７で吸い取って回収タンク５Ｔに回収する洗浄運転を行う。
【００３１】
これに対して、図１０に示した後退時には、ギヤ２１とピニオン２５との噛合によってスピードコントローラ２４を逆回転して走行用モータＭ４による車体１の後退を開始する一方、押圧突子２０ａは作動スイッチＬＳＷ１のスイッチ片Ｌ１を押して瞬間的にスイッチＯＦＦにするが、図示の如くスイッチ片Ｌ１の位置をオーバーランして再びスイッチＯＮし、且つ、後述する遅延回路が働く関係で、上記洗浄用ブラシ又はパッド３用モータＭ１と電動シリンダーＭ３はＯＮ状態に維持されて、ブラシ又はパッド３は回転し続けると共に、更にこれに同調して上記図５の（ハ）図に示したようにスキージリフトレバー１６ａによるスキージ７の引上げと、ブロアー４用モータＭ２の作動停止が行われるため、車体１の後退をスキージ７に邪魔されずにブラシ又はパッド３を回転しながらスムーズに行うことができるものであって、従って、ブラシ又はパッド３の回転を維持しながら次の洗浄作業に速やかに移行することができる。
【００３２】
更に図３と図４に於いて、３０ａは取付筒３０によって上述したハンドル軸１０の他側周面に突設された金属片（鉄片）、３１は取付台３２によってこの金属片３０ａの回動通路上に面して取付た磁石であって、金属片３０ａと磁石３１の間はニュートラル時には図１１に示すように離れているが、ハンドル軸１０を正転方向、即ち、前進方向に捻り回転すると、図１２に示すように金属片３０ａが磁石３１に吸着されて、ハンドル軸１０から手を離しても前記戻しスプリング２６の戻し力に抗して前進方向への捻り回転状態、即ち、前進状態が維持される仕組に成っている。
【００３３】
図１３は本発明の電機的構成を簡略的に示した回路図であって、図中、２４ａと２４ｂはハンドル軸１０の正逆回転に従って、走行用モータＭ４の正逆回転方向とその回転速度を決定するスピードコントローラ２４の可変抵抗器、３３はスタートスイッチ、３４は遅延回路３５を備えた基板、Ｒ４は作動スイッチＬＳＷ１のＯＮ／ＯＦＦに連動して遅延回路３５を経て励磁作動する遅延出力リレーで、この遅延出力リレーＲ４は、作動スイッチＬＳＷ１がＯＮすると、リレースイッチＣＲ４をＯＮしてパッドモーターリレーＲ１を励磁するため、リレースイッチＣＲ１がＯＮしてブラシ又はパッド用モータＭ１を回転することができるが、上述したように押圧突子２０ａが瞬間的に作動スイッチＬＳＷ１をＯＦＦにした場合には、上記遅延回路３５の働きによってブラシ又はパッド用モータＭ１の回転を止めずに、回転を維持する仕組に成っている。
【００３４】
また、Ｒ２とＲ５はスイッチＬＳＷ２がＯＮすると励磁するブロアーモーターリレーと運転準備リレーで、これ等の各リレーＲ２，Ｒ５が励磁するとリレースイッチＣＲ２とＣＲ５がＯＮしてブロアー４のモータＭ２を作動すると共に、電動シリンダー下降リレーＲ３を励磁してリレースイッチＣＲ３をＯＮし、電動シリンダーＭ３を下降作動するように構成されている。
【００３５】
本発明に係る自走歩行式床面洗浄機は以上述べた如き構成であるから、作業員がハンドル軸１０を握ってこれを正転方向（図３、図４参照）に捻り回転すると、走行用モータＭ４が作動して車体１を前進方向に走行させる一方、洗浄用モータＭ１と電動シリンダーＭ３が作動してブラシ又はパッド３による床面の洗浄を行い、更に、スキージ７を床面に降下させてブロアー４用のモータＭ２を作動するため、床面を洗浄した後の汚水をスキージ７で吸い取って回収タンク５Ｔに回収でき、また、この前進状態は金属片３０ａを磁石３１に吸着させることによってそのまま維持できるから、それ以後作業員は車体１の走行方向を操作するだけで、床面を洗浄することができる。
【００３６】
また、車体１を方向転換等のために後退させる場合は、作業員が上記のハンドル軸１０を逆転方向に捻り回転すれば、ブラシ又はパッド３の回転が維持されながらスキージ７が床面から引上げられ、且つ、ブロアー４が停止された状態で車体１を後進することができるため、車体１の後退（方向転換等）をスキージ７に邪魔されずに、而かも、ブラシ又はパッド３を回転しながら円滑に行って、速やかに次の洗浄運転に進むことができ、また、上記ハンドル軸１０から手を離せば、戻しスプリング２６によってハンドル軸１０が図８に示したニュートラル時の状態に戻るため、いずれの作動スイッチＬＳＷ１，ＬＳＷ２もＯＦＦにして、車体１の走行とブラシ又はパッド３の回転、及び、ブロアー４によるスキージ７の吸引運転の全てを停止することができる。
【００３７】
更に、車体１を別な場所に移動したり搬送したりする場合は、上記ハンドル軸１０の捻り回転に関係なく、手動操作レバー１２を手動操作するだけで、スキージ７を引上げ状態にロックして車体１を任意の場所に走行移動させることができる。
【００３８】
【発明の効果】
以上述べた次第で、本発明に係る自走歩行式床面洗浄機によれば、運転用のハンドル軸を握ってこれを正転方向、又は、逆転方向に捻り回転するだけで、車体の前進、ブラシ又はパッドの回転、スキージの床面への降下とブロアーの吸引運転から成る床面の洗浄に必要な全ての動作を自動的に行い、また、ハンドル軸を逆転方向に捻り回転した場合には、車体の後進とスキージの引上げを行い、更に、ブロアーとブラシ又はパッドの作動を停止することができるため、各種のレバーを操作していた従来の装置に比較して、運転操作を頗る簡単にすると共に、構造を大幅に簡略化して部品数を少くし、製造コストの低減化を図ることができるものであって、手動操作レバーによってスキージを任意に引上げることができる点、並びに、車体を前進しながら床面を洗浄する前進状態を磁石の吸着力によって維持できるようにした点と相俟って、自走歩行式床面洗浄機として洵に画期的なものである。
【図面の簡単な説明】
【図１】本発明に係る自走歩行式床面洗浄機の全体を示した側面図である。
【図２】同じくその平面図である。
【図３】本発明の要部である操作ボックスの内部構造を拡大して示した平断面図である。
【図４】同じく操作ボックスの内部構造を拡大して示した背断面図である。
【図５】図４のＡ−Ａ線に沿った断面図であって、（イ）図はスキージを引上げた状態を示し、（ロ）図はスキージを降下した状態を示し、（ハ）図はスキージを降下した状態でハンドル軸を後進方向に逆回転した時の状態を示す。
【図６】（イ）図はギヤハンドル筒の正面図で、（ロ）図はその側面図である。
【図７】図４のＷ視部分を拡大して示した断面図である。
【図８】図４のＢ−Ｂ線に沿った拡大断面図で、ニュートラル時の状態を示す。
【図９】同じく図４のＢ−Ｂ線に沿った拡大断面図で、前進時の状態を示す。
【図１０】同じく図４のＢ−Ｂ線に沿った拡大断面図で、後退時の状態を示す。
【図１１】図４のＣ−Ｃ線に沿った拡大断面図で、ニュートラル時の状態を示す。
【図１２】同じく図４のＣ−Ｃ線に沿った拡大断面図で、前進時の状態を示す。
【図１３】本発明の電気的構成を示した回路図である。
【符号の説明】
１                床面洗浄機の車体
２ａ              走行用車輪
３                ブラシ又はパッド
４                ブロアー
Ｍ１              洗浄用モータ
Ｍ２              ブロアー用モータ
Ｍ４              走行用モータ
７                スキージ
８                操作ハンドル
９                操作ボックス
１０              ハンドル軸（グリップ）
１２              手動操作レバー
１３              ガイド溝
１３ａ            係止溝
１４              スキージ引上げ紐
１５              ボスレバー筒
１５ａ            係合レバー
１６              レバーハンドル筒
１６ａ            スキージリフトレバー
１６ｂ            押圧子
２０              ギヤハンドル筒
２０ａ            押圧突子
２１              ギヤ
２４              スピードコントローラ
２６              戻しスプリング
３０ａ            金属片（鉄片）
３１              磁石
ＬＳＷ１          作動スイッチ
ＬＳＷ２          作動スイッチ（ブロアー用）
【図１】
0003568833.tif 000002
【図２】
0003568833.tif 000003
【図３】
0003568833.tif 000004
【図４】
0003568833.tif 000005
【図５】
0003568833.tif 000006
【図６】
0003568833.tif 000007
【図７】
0003568833.tif 000008
【図８】
0003568833.tif 000009
【図９】
0003568833.tif 000010
【図１０】
0003568833.tif 000011
【図１１】
0003568833.tif 000012
【図１２】
0003568833.tif 000013
【図１３】
0003568833.tif 000014